(57)【要約】【課題】主に、比較的構造が簡単で施工性が良く、しかも、防水性の高い建物の配管構造を安価に得ることなどができるようにする。【解決手段】建物１の基礎２を貫通して建物１の内外に開口するように埋設されたさや管３と、建物１の内部４からさや管３を通して建物１の外部５へ導かれる配管部６と、を備えた建物１の配管構造に関する。  さや管３が、水平部１１と水平部１１から斜めに立ち上がる立ち上がり部１２とを備える。  さや管３の建物１の外側の端部が地上で開口し、さや管３の建物１の内側の端部が、建物１の外側の開口よりも高い位置で開口される。  配管部６のさや管３に挿通される部分が、配管１４または配線１５の少なくとも一方を有している。  さや管３と配管部６との隙間が、少なくともさや管３における建物１の外側の端部の位置で防水されている。【選択図】図１
2018151038.tif 000002
【特許請求の範囲】
【請求項１】
建物の基礎を貫通して建物の内外に開口するように埋設されたさや管と、
前記建物の内部から前記さや管を通して前記建物の外部へ導かれる配管部と、を備えた建物の配管構造であって、
前記さや管が、水平部と該水平部から斜めに立ち上がる立ち上がり部とを備え、
前記さや管の前記建物の外側の端部が地上で開口し、前記さや管の前記建物の内側の端部が、前記建物の外側の開口よりも高い位置で開口され、
前記配管部の前記さや管に挿通される部分が、配管または配線の少なくとも一方を有していると共に、
前記さや管と前記配管部との隙間が、少なくとも前記さや管における前記建物の外側の端部の位置で防水されていることを特徴とする建物の配管構造。
【請求項２】
請求項１に記載の建物の配管構造において、
前記配管部は、前記配管を複数有していることを特徴とする建物の配管構造。
【請求項３】
請求項１または請求項２に記載の建物の配管構造において、
前記配管部は、前記配線を複数有していることを特徴とする建物の配管構造。
【請求項４】
請求項１ないし請求項３のいずれか１項に記載の建物の配管構造において、
前記さや管と前記基礎との間が防水されていることを特徴とする建物の配管構造。
【請求項５】
請求項１ないし請求項４のいずれか１項に記載の建物の配管構造において、
前記建物の外側では、前記配管または前記配線の少なくとも一方に、防食テープが巻かれていることを特徴とする建物の配管構造。
【請求項６】
請求項１ないし請求項５のいずれか１項に記載の建物の配管構造において、
前記建物の内側では、前記配管または前記配線の少なくとも一方に、防食テープが巻かれていることを特徴とする建物の配管構造。
【請求項７】
請求項１ないし請求項６のいずれか１項に記載の建物の配管構造において、
前記基礎は、断熱材を有していることを特徴とする建物の配管構造。
【請求項８】
請求項１ないし請求項７のいずれか１項に記載の建物の配管構造において、
前記さや管は、支持部によって支持されていることを特徴とする建物の配管構造。
【請求項９】
請求項１ないし請求項８のいずれか１項に記載の建物の配管構造において、
前記さや管の前記建物の内側の部分は、前記立ち上がり部となっており、
該立ち上がり部は、エルボ管に直管を接続したものとなっていることを特徴とする建物の配管構造。
【請求項１０】
請求項１ないし請求項９のいずれか１項に記載の配管構造を施工する建物の配管施工方法であって、
建物の基礎を貫通するようにさや管の水平部を埋設する水平部埋設工程と、
前記水平部に配管部を挿通する配管挿通工程と、
前記水平部における前記建物の内側の端部に立ち上がり部を接続する立ち上がり部設置工程と、
前記さや管と前記配管部との隙間を、少なくとも前記さや管における前記建物の外側の端部の位置で防水する防水工程と、
を行うことを特徴とする建物の配管施工方法。
【発明の詳細な説明】
【技術分野】
【０００１】
この発明は、建物の配管構造および配管施工方法に関するものである。
【背景技術】
【０００２】
住宅などの建物には、建物の内部と外部との間に跨るように配管を設置した配管構造が存在している。このような配管構造では、配管は建物の基礎を貫通するように設置されている（例えば、特許文献１ないし特許文献４参照）。
【先行技術文献】
【特許文献】
【０００３】
【特許文献１】特開２００５−２００９６３号公報
【特許文献２】特開２００２−１１５２９４号公報
【特許文献３】特開２００２−５４２０３号公報
【特許文献４】特開２０１１−２４７３７４号公報
【特許文献５】実開昭６１−１８６０７０号公報
【特許文献６】特開２００１−１５９１６２号公報
【特許文献７】特開２０１０−０４３４０６号公報
【発明の概要】
【発明が解決しようとする課題】
【０００４】
配管を建物の基礎に貫通させる場合、特許文献１のように、基礎の貫通部分にさや管を埋設し、さや管に配管を通すことが考えられる。このようにさや管を用いることで、配管をメンテナンスする際に、基礎を破壊することなく、さや管の内側に通された配管自体のメンテナンスを行うことが可能になる。しかし、特許文献１では、基礎の貫通部分に対し、さや管として短い直管を水平に埋設するようにしていたので、それ自体では外部からの浸水を防止できないものとなっており、何らかの浸水対策が必要となっていた。
【０００５】
そこで、特許文献２〜特許文献４では、外部から基礎の内部への浸水を防止するなどのために、例えば、基礎に埋設するさや管に高低差などを設けるようにしている。そして、高低差を付けるために、さや管に長尺の屈曲した管などを用いている。そのため、基礎に対するさや管の設置範囲が広くなると共に基礎におけるさや管の設置部分の構造が複雑になっていた。特に、特許文献４のものは、さや管を基礎の外部（特に屋外側）にまで延びるような、より長尺で屈曲箇所の多いものとしていたので、更にさや管の設置構造が複雑になっていた。
【０００６】
また、特許文献５〜特許文献７のように、配管をほぼ全域に亘って覆うような長さのフレキシブル管を用いると共に、フレキシブル管ごと配管を基礎に対して水平に貫通させるようにしたものも存在しているが、フレキシブル管が長大であるためフレキシブル管にコストがかかると共に、施工時のフレキシブル管の取り回しやフレキシブル管の基礎に対する埋設に手間がかかっていた。
【０００７】
そこで、本発明は、主に、上記した問題点を解決することを目的としている。
【課題を解決するための手段】
【０００８】
上記課題を解決するために、本発明は、建物の基礎を貫通して建物の内外に開口するように埋設されたさや管と、前記建物の内部から前記さや管を通して前記建物の外部へ導かれる配管部と、を備えた建物の配管構造であって、
前記さや管が、水平部と該水平部から斜めに立ち上がる立ち上がり部とを備え、前記さや管の前記建物の外側の端部が地上で開口し、前記さや管の前記建物の内側の端部が、前記建物の外側の開口よりも高い位置で開口され、前記配管部の前記さや管に挿通される部分が、配管または配線の少なくとも一方を有していると共に、前記さや管と前記配管部との隙間が、少なくとも前記さや管における前記建物の外側の端部の位置で防水されていることを特徴とする。
【０００９】
また、本発明は、配管構造を施工する建物の配管施工方法であって、
建物の基礎を貫通するようにさや管の水平部を埋設する水平部埋設工程と、前記水平部に配管部を挿通する配管挿通工程と、前記水平部における前記建物の内側の端部に立ち上がり部を接続する立ち上がり部設置工程と、前記さや管と前記配管部との隙間を、少なくとも前記さや管における前記建物の外側の端部の位置で防水する防水工程と、を行うことを特徴とする。
【発明の効果】
【００１０】
本発明によれば、上記構成によって、比較的構造が簡単で施工性が良く、しかも、防水性の高い建物の配管構造を安価に得ることなどができる。
【図面の簡単な説明】
【００１１】
【図１】本実施の形態にかかる建物の配管構造を示す縦断面図である。
【図２】図１の配管部の縦断面図である。
【図３】支持部の部品図であり、（ａ）はバンド部材、（ｂ）は取付脚部、（ｃ）はコンクリートピンを示す斜視図である。
【図４】立ち上がり部の部品図であり、（ａ）はエルボ管、（ｂ）は直管を示す斜視図である。
【図５】建物の配管構造の他の実施例を示す縦断面図である。
【図６】建物の配管施工方法（水平部埋設工程）を示す基礎鉄筋の斜視図である。
【図７】建物の配管施工方法（立ち上がり部設置工程）を示す縦断面図である。
【発明を実施するための形態】
【００１２】
以下、本実施の形態を、図面を用いて詳細に説明する。
図１〜図７は、この実施の形態を説明するためのものである。
【実施例１】
【００１３】
＜構成＞以下、構成について説明する。
【００１４】
住宅などの建物に対し、図１に示すような配管構造を設置する。この配管構造は、建物１の基礎２を貫通して建物１の内外に開口するように埋設されたさや管３と、建物１の内部４からさや管３を通して建物１の外部５へ導かれる配管部６と、を備えたものとされる。
【００１５】
ここで、建物１は、どのようなものであっても良いが、この場合には、工場で予め製造した建物ユニットを現場へ輸送して、現場で複数の建物ユニットを組み立てることにより、短期間で構築できるようにしたユニット建物としている。図では、建物ユニットの下部に床梁１ａや床小梁１ｂなどが設置されている様子を示している。
【００１６】
基礎２は、建物１を地面ＧＬに支えるために、建物１の床下部分に設けられるものであり、鉄筋コンクリートによって構成されている。この場合、基礎２は、建物１の下部全面を覆うベタ基礎とされている。ベタ基礎は、底板を構成するスラブ部２ａと、スラブ部２ａから上方へ延びる立壁部２ｂとを有している。
【００１７】
さや管３は、文字通り、配管部６のさやとなる管のことであり、さや管３は内部を通る配管部６よりも大径のものとされる。さや管３は、例えば、硬質ポリ塩化ビニルなどの硬質樹脂製で構成される。さや管３には、円形断面のものなどが使用される。
【００１８】
そして、以上のような基本的または全体的な構成に対し、この実施例は、以下のような構成を備えている。
【００１９】
（１）さや管３が、水平部１１と水平部１１から斜めに立ち上がる立ち上がり部１２とを備えている。
そして、さや管３の建物１の外側の端部が地上で開口し（外側開口部３ａ）、さや管３の建物１の内側の端部が、建物１の外側の開口よりも高い位置で開口される（内側開口部３ｂ）。
また、配管部６のさや管３に挿通される部分が、配管１４または配線１５の少なくとも一方を有している。
さや管３と配管部６との隙間が、少なくともさや管３における建物１の外側の端部の位置で（防水材１７によって）防水されている。
【００２０】
ここで、水平部１１は、水平な管部材とされる。水平部１１は、基礎２の立壁部２ｂの厚みとほぼ同じ長さを有して、全長に亘り均一肉厚で水平に延びるものとされる。また、立ち上がり部１２は、斜めに延びる管部材などとされる。そして、さや管３は、水平部１１と立ち上がり部１２とを有することで、全体として屈曲形状のものとなっている。
【００２１】
地上とは、地面ＧＬよりも上の部分のことである。この場合、さや管３の建物１の外側の端部（外側開口部３ａ）は、地面ＧＬよりも若干高い位置で開口されている。さや管３の建物１の内側の端部（内側開口部３ｂ）は、さや管３の外側の端部より僅かでも高くなっていれば良いが、この場合には、さや管３の外側の端部よりも十分に高くなるように、基礎２の天端（立壁部２ｂの最上部）よりも高くまで延ばされている。
【００２２】
さや管３に挿通される部分は、配管部６におけるさや管３内を通っている部分のことである。配管１４は、例えば、排水管や給水管や給湯管やガス管や（エアコンなどの）冷媒管などとすることができる。配線１５は、例えば、電源ケーブルやアース線や信号線や光ケーブルなどとすることができる。
【００２３】
さや管３と配管部６との隙間には、例えば、建物１の外側からモルタルなどの遮蔽材などを防水材１７として充填することができる。但し、モルタル以外の防水材１７を用いることもできる。
【００２４】
（２）図２に示すように、配管部６は、配管１４を複数有していても良い。
【００２５】
ここで、配管部６を建物１の外部５の機器に接続する場合、例えば、外部５の機器が全館空調システムの室外機などであれば、複数の配管１４は、供給側および排出側の冷媒管１４ａ，１４ｂなどとされる。この場合、複数の配管１４は、バラの状態でさや管３へ直接通すようにしているが、まとめて軟質樹脂製の可撓管などに収容した状態でさや管３に通すようにしても良い。
【００２６】
なお、外部５の機器は、全館空調システムの室外機以外に、例えば、ヒートポンプ式の電気温水器や、家庭用燃料電池コージェネレーションシステムなどとしても良い。また、複数の配管１４は、冷媒管１４ａ，１４ｂに限るものではない。
【００２７】
（３）配管部６は、配線１５を複数有していても良い。
【００２８】
ここで、配管部６を建物１の外部５の機器に接続する場合、例えば、外部５の機器が全館空調システムの室外機などであれば、複数の配線１５は、電源ケーブル１５ａやアース線１５ｂなどとされる。この場合、複数の配線１５は、バラの状態でさや管３へ直接通すようにしているが、（配管１４などと共に）まとめて軟質樹脂製の可撓管などに収容した状態でさや管３に通すようにしても良い。
【００２９】
なお、上記したように、外部５の機器は、全館空調システムの室外機以外に、例えば、ヒートポンプ式の電気温水器や、家庭用燃料電池コージェネレーションシステムなどとしても良い。また、複数の配線１５は、電源ケーブル１５ａやアース線１５ｂに限るものではない。
【００３０】
（４）図１に示すように、さや管３と基礎２との間は、防水するのが好ましい。
【００３１】
ここで、さや管３と基礎２との間の防水には、例えば、水膨張性の粘土シール材や、水膨張性の一液弾性シール材などのシール材２１（第二の防水材）を用いることができる。このシール材２１は、さや管３の外周に巻き付けるようにして使用するものである。このシール材２１は、基礎２を構成するコンクリートの水分によって膨張し、基礎２と一体化される。
【００３２】
（５）建物１の外側では、配管１４または配線１５の少なくとも一方に、防食テープ２５を巻くようにしても良い。
【００３３】
ここで、防食テープ２５は、各配管１４や各配線１５ごとに単独で巻いても良いし、配管１４と配線１５とに分けて巻いても良いし、配管１４と配線１５とを一緒にまとめて巻いても良い。この場合には、一緒にまとめて巻いている。そして、さや管３の外側の端部の開口を覆うように防食テープ２５を巻くようにすれば、気密性の確保や、虫の侵入防止などを行うことが可能になる。
【００３４】
（６）建物１の内側では、配管１４または配線１５の少なくとも一方に、防食テープ２６を巻くようにしても良い。
【００３５】
ここで、防食テープ２５は、各配管１４や各配線１５ごとに単独で巻いても良いし、配管１４と配線１５とに分けて巻いても良いし、配管１４と配線１５とを一緒にまとめて巻いても良い。この場合には、一緒にまとめて巻いている。そして、さや管３の内側の端部の開口を覆うように防食テープ２５を巻くようにすれば、気密性の確保や、虫の侵入防止などを行うことが可能になる。
【００３６】
（７）基礎２は、断熱材２７を有していても良い。
【００３７】
ここで、断熱材２７には、所要の厚みを有する固形の断熱材２７や、現場施工が可能な吹付け式の断熱材２７などを使用することができる。この場合には、基礎２の立壁部２ｂの内面と、スラブ部２ａの外周側の所要範囲の部分とに対して断熱材２７を施工するようにしている。断熱材２７は、さや管３が通るように設けられる。
【００３８】
（８）さや管３は、支持部３１によって支持しても良い。
【００３９】
ここで、支持部３１は、建物１の内部４にてさや管３（の立ち上がり部１２など）を支持するものとなっている。支持部３１は、さや管３を支持できれば、どのようなものでも良いが、この場合には、図３に示すように、さや管３の外周に取付け可能な環状のバンド部材３２と、このバンド部材３２を基礎２の上部に支持する支持脚部３３とを有するものとされている。支持脚部３３はコンクリートピン３４などで基礎２に固定される。
【００４０】
このうち、バンド部材３２は、図３（ａ）に示すように、半円弧状をした２つのバンド片の一端部間をヒンジ部３２ａで開閉可能に連結し、他端部にそれぞれ支持脚部３３に対する取付片３２ｂを設けたものとされる。取付片３２ｂには、支持脚部３３に対する取付孔３２ｃが、位置調整用に複数設けられている。
【００４１】
支持脚部３３は、図３（ｂ）に示すように、さや管３の支持に必要な所要の長さを有して上下方向へ延びる脚部３３ａと、脚部３３ａの下端部に設けられた足部３３ｂとを有している。脚部３３ａの上端部には、バンド部材３２の取付片３２ｂに対する取付孔３３ｃが、位置調整用に複数設けられている。足部３３ｂには、図３（ｃ）に示すようなコンクリートピン３４を用いて基礎２に固定するための取付孔３３ｄが設けられている。
【００４２】
（９）図１に示すように、さや管３の建物１の内側の部分を、立ち上がり部１２としても良い。
そして、立ち上がり部１２は、エルボ管４１に直管４２を接続したものとしても良い。
【００４３】
ここで、エルボ管４１は、図４（ａ）に示すように、一端部に水平部１１の建物側の端部に対して挿入可能な差口部４１ａを有し、他端部に直管４２を収容・接続可能な受口部４１ｂを有すると共に、中間部に、９０°よりも小さい角度（例えば、４５°など）で屈曲された屈曲部４１ｃを有する屈曲継手とされる。但し、図では、水平部１１にエルボ管４１を直接接続して立ち上がり部１２を基礎２の位置から直ちに開始するようにしているが、水平部１１とエルボ管４１との間に直管状の継手や直管などを適宜介在させて立ち上がり部１２をより建物１の奥側の位置から開始するようにしても良い。
【００４４】
また、直管４２は、図４（ｂ）に示すように、全長に亘って均一肉厚で所要長さに延びる短管部材などされる。直管４２は、エルボ管４１の受口部４１ｂに接続されることで、斜め方向などに向けられる。
【００４５】
そして、上記した支持部３１は、斜めの直管４２を下側から支持するものとされる。そのために、バンド部材３２は、支持脚部３３の上端部に対し、軸部材３５によって、斜めの直管４２の角度に合わせて傾動可能となるように軸支されている。
【００４６】
なお、エルボ管４１と直管４２は、図５の実施例に示すように、繰り返し継ぎ足しながら延長するようにしても良い（延長部４３，４４）。この場合、延長部４３，４４を二回設けることで、二番目の直管４２を水平にして、水平とされた二番目の直管４２を支持部３１によって支持するようにしている。
【００４７】
（１０）以下、上記配管構造を施工する建物１の配管施工方法について説明する。
【００４８】
この配管施工方法は、
建物１の基礎２を貫通するようにさや管３の水平部１１を埋設する水平部埋設工程と、
水平部１１に配管部６を挿通する配管挿通工程と、
水平部１１における建物１の内側の端部に立ち上がり部１２を接続する立ち上がり部設置工程と、
さや管３と配管部６との隙間を、少なくともさや管３における建物１の外側の端部の位置で防水する防水工程と、を行うものとなっている。
【００４９】
水平部埋設工程は、基礎２の施工時に、図６に示すように、鉄筋５１の配筋が完了した時に、水平部１１を鉄筋５１に対して水平にセットすることで行う。水平部１１は、鉄筋５１に対し番線などの固定手段を用いて動かないように固定する。水平部１１の外周には、予め水膨張性の粘土シール材や、水膨張性の一液弾性シール材などのシール材２１を巻き付けておく。水平部１１の両端部は塞いでおいても良い。
【００５０】
配管挿通工程は、基礎２が固まった後で行うようにする。
【００５１】
立ち上がり部設置工程は、図７に示すような水平部１１に立ち上がり部１２を取付ける立ち上がり部取付工程と、立ち上がり部１２を支持部３１で支持する立ち上がり部支持工程とに分けて行われる。
【００５２】
防水工程は、さや管３と配管部６との隙間に建物１の外側からモルタルなどの遮蔽材や防水材１７を充填する防水材充填工程と、建物１の外側および内側で配管１４または配線１５の少なくとも一方に防食テープ２５，２６を巻く防食工程とに分けて行われる。
【００５３】
また、上記以外に、基礎２に断熱材２７を設置する断熱材設置工程なども行われる。
【００５４】
上記した配管挿通工程や、立ち上がり部設置工程や、防水工程や、断熱材設置工程は、上記の順番で行うのが好ましいが、必ずしもこの順番でなくても良い。
【００５５】
＜作用効果＞この実施例によれば、以下のような作用効果を得ることができる。
【００５６】
（作用効果１）基礎２のコンクリート層を貫通するさや管３に配管部６を通すことで、配管部６を容易に建物１の内外間を貫通するように設置することができる。
【００５７】
また、さや管３に対して配管部６を通すことで、基礎２を壊すこと無く配管部６のメンテナンスが可能で、メンテナンスが容易にできる。
【００５８】
この際、さや管３を、水平部１１と立ち上がり部１２とを有する屈曲形状のものとしているので、さや管３を比較的構造が簡単で安価なものとすることができる。
【００５９】
そして、さや管３の建物１の外側の端部を地上で開口し、さや管３の建物１の内側の端部を地上に位置する外側の開口よりも高い位置に設けると共に、さや管３と配管部６との隙間が少なくともさや管３の外側の端部の位置で防水されていることによって、建物１の外部５から内部への浸水を確実に防止することができる。
【００６０】
また、配管部６のさや管３に挿通される部分が、配管１４または配線１５の少なくとも一方を有していることによって、配管部６の種類に左右されることなく配管部６をさや管３に挿通することができ、しかも、高い防水性を確保した状態で挿通することができる。
【００６１】
（作用効果２）配管部６は、配管１４を複数有するものとしても良い。これにより、さや管３を通して建物１の内外間に複数の配管１４を、防水性を確保した状態で貫通配置することができる。
【００６２】
（作用効果３）配管部６は、配線１５を複数有するものとしても良い。これにより、さや管３を通して建物１の内外間に複数の配線１５を、防水性を確保した状態で貫通配置することができる。
【００６３】
（作用効果４）さや管３と基礎２との間を防水するようにしても良い。これにより、さや管３と基礎２との間の防水性を確保することができる。
【００６４】
（作用効果５）建物１の外側で、配管１４または配線１５の少なくとも一方に、防食テープ２５を巻いても良い。これにより、建物１の外側における配管１４または配線１５の防食を行うことができる。
【００６５】
（作用効果６）建物１の内側で、配管１４または配線１５の少なくとも一方に、防食テープ２６を巻いても良い。これにより、建物１の内側における配管１４または配線１５の防食を行うことができる。
【００６６】
（作用効果７）基礎２は、断熱材２７を有していても良い。これにより、基礎２部分の断熱性を確保することができる。また、断熱性を有する基礎２に対して建物１の内外を貫通するように配管部６を設置することができる。
【００６７】
（作用効果８）さや管３を支持部３１によって支持するようにしても良い。これにより、さや管３を所要の支持強度を有して確実に支持することができる。
【００６８】
（作用効果９）さや管３の建物１の内側の部分を、立ち上がり部１２としても良い。立ち上がり部１２を、建物１の内側の端部にすることで、立ち上がり部１２を、基礎２に埋設しないものとすることができ、さや管３を屈曲形状にしても基礎２に対するさや管３の設置を容易化することができるようになる。
【００６９】
また、さや管３の建物１の内側の立ち上がり部１２を、エルボ管４１に直管４２を接続したものとしても良い。これにより、さや管３を単純な形状の小部品を用いて構成することができ、また、水平部１１のみを基礎２（の立壁部２ｂ）に埋設して、後から水平部１１に対して立ち上がり部１２を取付ければ良い構造にすることができるので、エルボ管４１と直管４２とを用いて基礎２の施工後に現場で簡単に立ち上がり部１２を作成することができる。
【００７０】
（作用効果１０）上記配管構造と同様の作用効果を得ることができると共に、水平部埋設工程、配管挿通工程、立ち上がり部設置工程、防水工程を行うことで、配管構造を施工性の良いものとすることができる。特に、水平部埋設工程では、水平部１１を基礎２における地面ＧＬよりも高い位置に対して水平に埋設するだけで良いので、施工が容易である。また、立ち上がり部設置工程についても、基礎２の施工後に建物１の内側の位置で行うことができるので、施工の負担を少なくできる。
【００７１】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００７２】
１      建物
２      基礎
３      さや管
４      建物の内部
５      建物の外部
６      配管部
１１    水平部
１２    立ち上がり部
１４    配管
１５    配線
１７    防水材
２１    シール材
２５    防食テープ
２６    防食テープ
２７    断熱材
３１    支持部
４１    エルボ管
４２    直管
【図１】
2018151038.tif 000003
【図２】
2018151038.tif 000004
【図３】
2018151038.tif 000005
【図４】
2018151038.tif 000006
【図５】
2018151038.tif 000007
【図６】
2018151038.tif 000008
【図７】
2018151038.tif 000009